(57)【特許請求の範囲】
【請求項１】
番組コンテンツと、その番組コンテンツを識別するための第１の番組名及び第１のサブタイトルを少なくとも含む属性情報とを有するデジタル放送信号を受信するデジタル放送受信手段と、
所定期間内に放送予定の各番組コンテンツを識別するための第２の番組名、第２のサブタイトル及び前記各番組コンテンツの放送開始／終了日時を少なくとも含む番組情報を有するＥＰＧ情報を取得するＥＰＧ情報取得手段と、
外部からの指示によって選択された番組コンテンツに対応する前記番組情報を、前記ＥＰＧ情報取得手段で取得した前記ＥＰＧ情報から選択し、この選択した番組情報を録画予約番組情報として記憶する録画予約情報記憶手段と、
前記録画予約情報記憶手段に記憶された前記録画予約番組情報に従って前記デジタル放送受信手段で受信された前記デジタル放送信号の番組コンテンツを録画する番組コンテンツ録画手段と、
前記番組コンテンツ録画手段で録画された前記番組コンテンツに対応する前記録画予約番組情報を録画済み番組情報として記録する録画済み番組情報記録手段とを備え、
前記番組コンテンツの録画再生を行うデジタル放送録画再生装置において、
前記デジタル放送信号から、録画を行う番組コンテンツに対応する前記第１の番組名と前記第１のサブタイトルとを含む前記属性情報を抽出する属性情報抽出手段と、
前記番組コンテンツ録画手段で録画が行われた各前記番組コンテンツにそれぞれ対応する、前記録画済み番組情報記録手段に記録された前記録画済み番組情報の前記第２の番組名を、前記属性情報の前記第１の番組名及び前記第１のサブタイトルのうち少なくともいずれか一方で置き換えるか、または、前記第２のサブタイトルを、前記属性情報の前記第１のサブタイトルで置き換える番組名置き換え手段とを、
備えたことを特徴とするデジタル放送録画再生装置。
【請求項２】
前記番組名置き換え手段による前記番組名の置き換え後に前記録画済み番組情報記録手段に記録されている前記番組情報の一部又は全部を一覧表示する録画済み番組名一覧表示手段と、
前記録画済み番組名一覧表示手段で表示された前記番組情報のうち少なくとも１つが選択されたら、その選択された前記番組情報に対応する録画済みの前記番組コンテンツを再生する再生番組選択手段とを、
備えたことを特徴とする請求項１に記載のデジタル放送録画再生装置。
【請求項３】
番組コンテンツと、その番組コンテンツを識別するための第１の番組名及び第１のサブタイトルを少なくとも含む属性情報とを有するデジタル放送信号を受信するデジタル放送受信手段と、
所定期間内に放送予定の各番組コンテンツを識別するための第２の番組名、第２のサブタイトル及び前記各番組コンテンツの放送開始／終了日時を少なくとも含む番組情報を有するＥＰＧ情報を取得するＥＰＧ情報取得手段と、
外部からの指示によって選択された番組コンテンツに対応する前記番組情報を、前記ＥＰＧ情報取得手段で取得した前記ＥＰＧ情報から選択し、この選択した番組情報を録画予約番組情報として記憶する録画予約情報記憶手段と
前記録画予約情報記憶手段に記憶された前記録画予約番組情報に従って前記デジタル放送受信手段で受信された前記デジタル放送信号の番組コンテンツを録画する番組コンテンツ録画手段と、
前記番組コンテンツ録画手段で録画された前記番組コンテンツに対応する前記録画予約番組情報を録画済み番組情報として記録する録画済み番組情報記録手段とを備え、
前記番組コンテンツの録画再生を行うデジタル放送録画再生装置において、
前記デジタル放送信号から、録画を行う番組コンテンツに対応する前記第１の番組名及び前記第１のサブタイトルを含む前記属性情報を抽出する属性情報抽出手段と、
前記番組コンテンツ録画手段で録画が行われた各前記番組コンテンツにそれぞれ対応する、前記録画済み番組情報記録手段に記録された前記録画済み番組情報の前記第２の番組名と、前記属性情報抽出手段で抽出された前記属性情報の前記第１の番組名とを比較し、これらの番組名が互いに相違するとき、前記録画済み番組情報記録手段に記録された前記録画済み番組情報の前記第２の番組名を前記属性情報の前記第１の番組名に置き換え、かつ、前記録画済み番組情報記録手段に記録された前記録画済み番組情報の前記第２のサブタイトルを消去するとともに、前記属性情報抽出手段で抽出された前記第１のサブタイトルを、前記置き換えられた番組名に追加記録する番組名置き換え手段とを、
備えたことを特徴とするデジタル放送録画再生装置。
【請求項４】
前記番組名置き換え手段による番組名の置き換え及びサブタイトルの追加後の前記録画済み番組情報記録手段に記録されている前記番組情報の一部又は全部を一覧表示する録画済み番組名一覧表示手段と、
前記録画済み番組名一覧表示手段で表示された前記番組情報のうち少なくとも１つが選択されたら、その選択された前記番組情報に対応する録画済みの前記番組コンテンツを再生する再生番組選択手段とを、
備えたことを特徴とする請求項３に記載のデジタル放送録画再生装置。
【請求項５】
番組コンテンツと、その番組コンテンツを識別するための第１の番組名及び第１のサブタイトルを少なくとも含む属性情報とを有するデジタル放送信号を受信するデジタル放送受信手段と、
所定期間内に放送予定の各番組コンテンツを識別するための第２の番組名、第２のサブタイトル及び前記各番組コンテンツの放送開始／終了日時を少なくとも含む番組情報を有するＥＰＧ情報を取得し、この取得したＥＰＧ情報を用いて録画予約が可能な本装置の外部に存在する端末から、この端末上で録画予約された番組コンテンツの番組情報を録画予約番組情報として取得する録画予約情報取得手段と、
前記録画予約情報取得手段で取得した前記録画予約番組情報を記憶する録画予約情報記憶手段と、
前記録画予約情報記憶手段に記憶された前記録画予約番組情報に従って前記デジタル放送受信手段で受信された前記デジタル放送信号の番組コンテンツを録画する番組コンテンツ録画手段と、
前記番組コンテンツ録画手段で録画された前記番組コンテンツに対応する前記録画予約番組情報を録画済み番組情報として記録する録画済み番組情報記録手段とを備え、
前記番組コンテンツの録画再生を行うデジタル放送録画再生装置において、
前記デジタル放送信号から、録画を行う番組コンテンツに対応する前記第１の番組名及び前記第１のサブタイトルを含む前記属性情報を抽出する属性情報抽出手段と、
前記番組コンテンツ録画手段で録画が行われた各前記番組コンテンツにそれぞれ対応する、前記録画済み番組情報記録手段に記録された前記録画済み番組情報の前記第２の番組名を、前記属性情報の前記第１の番組名及び前記第１のサブタイトルのうち少なくともいずれか一方で置き換えるか、または、前記第２のサブタイトルを、前記属性情報の前記第１のサブタイトルで置き換える番組名置き換え手段とを、
備えたことを特徴とするデジタル放送録画再生装置。
【請求項６】
前記番組名置き換え手段による前記番組名の置き換え後に前記録画済み番組情報記録手段に記録されている前記番組情報の一部又は全部を一覧表示する録画済み番組名一覧表示手段と、
前記録画済み番組名一覧表示手段で表示された前記番組情報のうち少なくとも１つが選択されたら、その選択された前記番組情報に対応する録画済みの前記番組コンテンツを再生する再生番組選択手段とを、
備えたことを特徴とする請求項５に記載のデジタル放送録画再生装置。
【請求項７】
番組コンテンツと、その番組コンテンツを識別するための第１の番組名及び第１のサブタイトルを少なくとも含む属性情報とを有するデジタル放送信号を受信するデジタル放送受信手段と、
所定期間内に放送予定の各番組コンテンツを識別するための第２の番組名、第２のサブタイトル及び前記各番組コンテンツの放送開始／終了日時を少なくとも含む番組情報を有するＥＰＧ情報を取得し、この取得したＥＰＧ情報を用いて録画予約が可能な本装置の外部に存在する端末から、この端末上で録画予約された番組コンテンツの番組情報を録画予約番組情報として取得する録画予約情報取得手段と、
前記録画予約情報取得手段で取得した前記録画予約番組情報を記憶する録画予約情報記憶手段と、
前記録画予約情報記憶手段に記憶された前記録画予約番組情報に従って前記デジタル放送受信手段で受信された前記デジタル放送信号の番組コンテンツを録画する番組コンテンツ録画手段と、
前記番組コンテンツ録画手段で録画された前記番組コンテンツに対応する前記録画予約番組情報を録画済み番組情報として記録する録画済み番組情報記録手段とを備え、
前記番組コンテンツの録画再生を行うデジタル放送録画再生装置において、
前記デジタル放送信号から、録画を行う番組コンテンツに対応する前記第１の番組名及び前記第１のサブタイトルを含む前記属性情報を抽出する属性情報抽出手段と、
前記番組コンテンツ録画手段で録画が行われた各前記番組コンテンツにそれぞれ対応する、前記録画済み番組情報記録手段に記録された前記録画済み番組情報の前記第２の番組名と、前記属性情報抽出手段で抽出された前記属性情報の前記第１の番組名とを比較し、これらの番組名が互いに相違するとき、前記録画済み番組情報記録手段に記録された前記録画済み番組情報の前記第２の番組名を前記属性情報の前記第１の番組名に置き換え、かつ、前記録画済み番組情報記録手段に記録された前記録画済み番組情報の前記第２のサブタイトルを消去するとともに、前記属性情報抽出手段で抽出された前記第１のサブタイトルを、前記置き換えられた番組名に追加記録する番組名置き換え手段とを、
備えたことを特徴とするデジタル放送録画再生装置。
【請求項８】
前記番組名置き換え手段による番組名の置き換え及びサブタイトルの追加後の前記録画済み番組情報記録手段に記録されている前記番組情報の一部又は全部を一覧表示する録画済み番組名一覧表示手段と、
前記録画済み番組名一覧表示手段で表示された前記番組情報のうち少なくとも１つが選択されたら、その選択された前記番組情報に対応する録画済みの前記番組コンテンツを再生する再生番組選択手段とを、
備えたことを特徴とする請求項７に記載のデジタル放送録画再生装置。
【発明の詳細な説明】
【技術分野】
【０００１】
本発明は、放送局や番組情報提供事業者などから提供される番組情報を利用してデジタル放送の録画、再生を行うデジタル放送録画再生装置に関する。
【背景技術】
【０００２】
従来、録画再生装置におけるテレビ放送の録画予約設定は、放送日時及びチャンネルを手入力していたため、操作が煩雑であった。そこで、操作性を改善する種々の提案がなされている。これらの提案は、電子的に番組情報が提供されるＥＰＧ（Electronic Program Guide：電子番組ガイド）を用いて設定することが主流になっている。特に、多数の番組を録画して保存することができるＶＤＲ（Video Disc Recorder：ビデオディスクレコーダ）においては、録画済み番組を識別するための番組名は必須の情報であり、録画予約設定時に番組名も同時に設定されるＥＰＧは最も多く利用されている。
【０００３】
ＥＰＧで利用される番組情報の提供方法には、番組情報提供事業者が作成する放送事業者の番組情報を統合、編集し、一括して提供する方法がある。この方法には、例えば、映像信号のＶＢＩ（Vertical Blanking Interval：垂直帰線期間）に重畳させて提供する方法や特定の情報提供チャンネルを利用して提供する方法などがある。更には、番組情報提供事業者が用意したサーバを用いてインターネットを介して提供する方法もある。この場合、インターネットを介して提供される番組情報（以降インターネットＥＰＧと呼ぶ）は、Ｗ３Ｃ（World Wide Web Consortium）で勧告されているｈｔｍｌ（Hyper Text Markup Language）などのプログラミング言語で記述されており、ウェブブラウザ・ソフトウェア（以下ウェブブラウザ）により表示、操作が可能である。従って、録画再生装置がこのウェブブラウザを搭載すれば、番組情報提供時御者のサーバへインターネットを介してアクセスし、このインターネットＥＰＧを用いて直接番組録画予約を行なうことができる。また、録画再生装置にウェブブラウザが搭載されていない場合でも、パソコンとのインターフェース機能を有していれば、ユーザがパソコン上でこのパソコンに搭載されているウェブブラウザを用いて、インターネットＥＰＧによる番組表で番組録画予約を行なった結果のデータである、その予約した番組の番組情報（番組名、サブタイトル名、番組説明、放送開始／終了時間など）を取得し、この取得した番組情報を録画装置に転送することにより、番組録画予約を行なうことが可能である。
【０００４】
一方、デジタル放送においては、各放送事業者が自局の放送信号に番組情報を重畳して提供する方法がある。
このように、1つの放送方式に対する番組情報の提供方法には複数の異なる種類の方法がある。従って、放送録画装置は、地上波アナログ放送、地上波デジタル放送、衛星アナログ放送、衛星デジタル放送など各々の放送方式のなかで、受信可能な放送方式において、複数の異なる種類の番組情報提供方法を併用して番組情報を取得し、これらの番組情報のなかからそのときの状況に応じて最も有効な番組情報を用いることが可能である。
【０００５】
ＥＰＧをテレビ画面に表示させるシステムとして、例えば、Ｇガイドシステムがある。このＧガイドシステムから送信されるＥＰＧは２週間程度の番組情報を含むため、例えば、２週間前においては番組名のみが決定されている場合、番組名のみがフルタイトルで表示されるが、放送日が近づくにつれて、サブタイトルや出演者などの情報を含むようになり、番組名が省略される場合がある。そのため、番組名をキーワードとして、番組を検索して放送の録画予約を行っている場合、放送日が近づくにつれて更新されるＥＰＧに含まれる番組名が省略されると、該当する番組を確実に検出できない場合があった。
【０００６】
また、ＥＰＧ用番組情報やインターネットＥＰＧ用番組情報の中では正式な番組名が省略して表示されることもある。この場合、１つの正式番組名に対して、複数の省略手法があり、どの省略手法を採用するかについて、あるいは、番組名の省略の程度についてはＥＰＧ用番組情報やインターネットＥＰＧ用番組情報の提供者の裁量にゆだねられている。したがって、ＥＰＧ更新前の番組名とＥＰＧ更新後の番組名とが異なる場合があり、このような場合にも該当する番組を確実に検出できないことがあった。
【０００７】
上述のような問題点を解決するために、あらかじめ録画する番組を自動で検索するためのキーワードとなる番組名を登録しておき、ＥＰＧからこのキーワードに対応する番組の番組名及び時間情報を取得して記憶し、ＥＰＧが更新された場合、時間情報に基づいて該当する番組の番組名を取得し、番組名が省略された場合、ＥＰＧ更新前の番組名と、ＥＰＧ更新後の番組名を対応付けて記憶する技術が開示されている（例えば、下記の特許文献１参照）。
【特許文献１】特開２００４−１３４８５８号公報（段落００４２、図２）
【発明の開示】
【発明が解決しようとする課題】
【０００８】
しかしながら、特許文献１に記載の技術は、録画予約の設定時に正式な番組名が提供されない限り、録画済み番組を表示する名称として正式な番組名が使用されないため、録画済み番組を再生する場合に、例えば、図１３に示すように、番組名がそれぞれ省略された番組選択画面を用いたとすると、所望の番組の選択が難しくなるという問題があった。
【０００９】
本発明は上記の問題点を解決するためになされたもので、その目的は、録画済み番組の識別名として正式な番組名、または利用者がより理解しやすい識別名を記録し、表示することができるデジタル放送録画再生装置を提供することにある。
【００１０】
本発明の他の目的は、録画済み番組の再生時に所望とする番組の選択を容易にすることができるデジタル放送録画再生装置を提供することにある。
【課題を解決するための手段】
【００１１】
そこで上記課題を解決するために本発明は、下記の装置を提供するものである。
（１）番組コンテンツと、その番組コンテンツを識別するための第１の番組名及び第１のサブタイトルを少なくとも含む属性情報とを有するデジタル放送信号を受信するデジタル放送受信手段と、
所定期間内に放送予定の各番組コンテンツを識別するための第２の番組名、第２のサブタイトル及び前記各番組コンテンツの放送開始／終了日時を少なくとも含む番組情報を有するＥＰＧ情報を取得するＥＰＧ情報取得手段と、
外部からの指示によって選択された番組コンテンツに対応する前記番組情報を、前記ＥＰＧ情報取得手段で取得した前記ＥＰＧ情報から選択し、この選択した番組情報を録画予約番組情報として記憶する録画予約情報記憶手段と、
前記録画予約情報記憶手段に記憶された前記録画予約番組情報に従って前記デジタル放送受信手段で受信された前記デジタル放送信号の番組コンテンツを録画する番組コンテンツ録画手段と、
前記番組コンテンツ録画手段で録画された前記番組コンテンツに対応する前記録画予約番組情報を録画済み番組情報として記録する録画済み番組情報記録手段とを備え、
前記番組コンテンツの録画再生を行うデジタル放送録画再生装置において、
前記デジタル放送信号から、録画を行う番組コンテンツに対応する前記第１の番組名と前記第１のサブタイトルとを含む前記属性情報を抽出する属性情報抽出手段と、
前記番組コンテンツ録画手段で録画が行われた各前記番組コンテンツにそれぞれ対応する、前記録画済み番組情報記録手段に記録された前記録画済み番組情報の前記第２の番組名を、前記属性情報の前記第１の番組名及び前記第１のサブタイトルのうち少なくともいずれか一方で置き換えるか、または、前記第２のサブタイトルを、前記属性情報の前記第１のサブタイトルで置き換える番組名置き換え手段とを、
備えたことを特徴とするデジタル放送録画再生装置。
（２）前記番組名置き換え手段による前記番組名の置き換え後に前記録画済み番組情報記録手段に記録されている前記番組情報の一部又は全部を一覧表示する録画済み番組名一覧表示手段と、
前記録画済み番組名一覧表示手段で表示された前記番組情報のうち少なくとも１つが選択されたら、その選択された前記番組情報に対応する録画済みの前記番組コンテンツを再生する再生番組選択手段とを、
備えたことを特徴とする上記（１）に記載のデジタル放送録画再生装置。
（３）番組コンテンツと、その番組コンテンツを識別するための第１の番組名及び第１のサブタイトルを少なくとも含む属性情報とを有するデジタル放送信号を受信するデジタル放送受信手段と、
所定期間内に放送予定の各番組コンテンツを識別するための第２の番組名、第２のサブタイトル及び前記各番組コンテンツの放送開始／終了日時を少なくとも含む番組情報を有するＥＰＧ情報を取得するＥＰＧ情報取得手段と、
外部からの指示によって選択された番組コンテンツに対応する前記番組情報を、前記ＥＰＧ情報取得手段で取得した前記ＥＰＧ情報から選択し、この選択した番組情報を録画予約番組情報として記憶する録画予約情報記憶手段と
前記録画予約情報記憶手段に記憶された前記録画予約番組情報に従って前記デジタル放送受信手段で受信された前記デジタル放送信号の番組コンテンツを録画する番組コンテンツ録画手段と、
前記番組コンテンツ録画手段で録画された前記番組コンテンツに対応する前記録画予約番組情報を録画済み番組情報として記録する録画済み番組情報記録手段とを備え、
前記番組コンテンツの録画再生を行うデジタル放送録画再生装置において、
前記デジタル放送信号から、録画を行う番組コンテンツに対応する前記第１の番組名及び前記第１のサブタイトルを含む前記属性情報を抽出する属性情報抽出手段と、
前記番組コンテンツ録画手段で録画が行われた各前記番組コンテンツにそれぞれ対応する、前記録画済み番組情報記録手段に記録された前記録画済み番組情報の前記第２の番組名と、前記属性情報抽出手段で抽出された前記属性情報の前記第１の番組名とを比較し、これらの番組名が互いに相違するとき、前記録画済み番組情報記録手段に記録された前記録画済み番組情報の前記第２の番組名を前記属性情報の前記第１の番組名に置き換え、かつ、前記録画済み番組情報記録手段に記録された前記録画済み番組情報の前記第２のサブタイトルを消去するとともに、前記属性情報抽出手段で抽出された前記第１のサブタイトルを、前記置き換えられた番組名に追加記録する番組名置き換え手段とを、
備えたことを特徴とするデジタル放送録画再生装置。
（４）前記番組名置き換え手段による番組名の置き換え及びサブタイトルの追加後の前記録画済み番組情報記録手段に記録されている前記番組情報の一部又は全部を一覧表示する録画済み番組名一覧表示手段と、
前記録画済み番組名一覧表示手段で表示された前記番組情報のうち少なくとも１つが選択されたら、その選択された前記番組情報に対応する録画済みの前記番組コンテンツを再生する再生番組選択手段とを、
備えたことを特徴とする上記（３）に記載のデジタル放送録画再生装置。
（５）番組コンテンツと、その番組コンテンツを識別するための第１の番組名及び第１のサブタイトルを少なくとも含む属性情報とを有するデジタル放送信号を受信するデジタル放送受信手段と、
所定期間内に放送予定の各番組コンテンツを識別するための第２の番組名、第２のサブタイトル及び前記各番組コンテンツの放送開始／終了日時を少なくとも含む番組情報を有するＥＰＧ情報を取得し、この取得したＥＰＧ情報を用いて録画予約が可能な本装置の外部に存在する端末から、この端末上で録画予約された番組コンテンツの番組情報を録画予約番組情報として取得する録画予約情報取得手段と、
前記録画予約情報取得手段で取得した前記録画予約番組情報を記憶する録画予約情報記憶手段と、
前記録画予約情報記憶手段に記憶された前記録画予約番組情報に従って前記デジタル放送受信手段で受信された前記デジタル放送信号の番組コンテンツを録画する番組コンテンツ録画手段と、
前記番組コンテンツ録画手段で録画された前記番組コンテンツに対応する前記録画予約番組情報を録画済み番組情報として記録する録画済み番組情報記録手段とを備え、
前記番組コンテンツの録画再生を行うデジタル放送録画再生装置において、
前記デジタル放送信号から、録画を行う番組コンテンツに対応する前記第１の番組名及び前記第１のサブタイトルを含む前記属性情報を抽出する属性情報抽出手段と、
前記番組コンテンツ録画手段で録画が行われた各前記番組コンテンツにそれぞれ対応する、前記録画済み番組情報記録手段に記録された前記録画済み番組情報の前記第２の番組名を、前記属性情報の前記第１の番組名及び前記第１のサブタイトルのうち少なくともいずれか一方で置き換えるか、または、前記第２のサブタイトルを、前記属性情報の前記第１のサブタイトルで置き換える番組名置き換え手段とを、
備えたことを特徴とするデジタル放送録画再生装置。
（６）前記番組名置き換え手段による前記番組名の置き換え後に前記録画済み番組情報記録手段に記録されている前記番組情報の一部又は全部を一覧表示する録画済み番組名一覧表示手段と、
前記録画済み番組名一覧表示手段で表示された前記番組情報のうち少なくとも１つが選択されたら、その選択された前記番組情報に対応する録画済みの前記番組コンテンツを再生する再生番組選択手段とを、
備えたことを特徴とする上記（５）に記載のデジタル放送録画再生装置。
（７）番組コンテンツと、その番組コンテンツを識別するための第１の番組名及び第１のサブタイトルを少なくとも含む属性情報とを有するデジタル放送信号を受信するデジタル放送受信手段と、
所定期間内に放送予定の各番組コンテンツを識別するための第２の番組名、第２のサブタイトル及び前記各番組コンテンツの放送開始／終了日時を少なくとも含む番組情報を有するＥＰＧ情報を取得し、この取得したＥＰＧ情報を用いて録画予約が可能な本装置の外部に存在する端末から、この端末上で録画予約された番組コンテンツの番組情報を録画予約番組情報として取得する録画予約情報取得手段と、
前記録画予約情報取得手段で取得した前記録画予約番組情報を記憶する録画予約情報記憶手段と、
前記録画予約情報記憶手段に記憶された前記録画予約番組情報に従って前記デジタル放送受信手段で受信された前記デジタル放送信号の番組コンテンツを録画する番組コンテンツ録画手段と、
前記番組コンテンツ録画手段で録画された前記番組コンテンツに対応する前記録画予約番組情報を録画済み番組情報として記録する録画済み番組情報記録手段とを備え、
前記番組コンテンツの録画再生を行うデジタル放送録画再生装置において、
前記デジタル放送信号から、録画を行う番組コンテンツに対応する前記第１の番組名及び前記第１のサブタイトルを含む前記属性情報を抽出する属性情報抽出手段と、
前記番組コンテンツ録画手段で録画が行われた各前記番組コンテンツにそれぞれ対応する、前記録画済み番組情報記録手段に記録された前記録画済み番組情報の前記第２の番組名と、前記属性情報抽出手段で抽出された前記属性情報の前記第１の番組名とを比較し、これらの番組名が互いに相違するとき、前記録画済み番組情報記録手段に記録された前記録画済み番組情報の前記第２の番組名を前記属性情報の前記第１の番組名に置き換え、かつ、前記録画済み番組情報記録手段に記録された前記録画済み番組情報の前記第２のサブタイトルを消去するとともに、前記属性情報抽出手段で抽出された前記第１のサブタイトルを、前記置き換えられた番組名に追加記録する番組名置き換え手段とを、
備えたことを特徴とするデジタル放送録画再生装置。
（８）前記番組名置き換え手段による番組名の置き換え及びサブタイトルの追加後の前記録画済み番組情報記録手段に記録されている前記番組情報の一部又は全部を一覧表示する録画済み番組名一覧表示手段と、
前記録画済み番組名一覧表示手段で表示された前記番組情報のうち少なくとも１つが選択されたら、その選択された前記番組情報に対応する録画済みの前記番組コンテンツを再生する再生番組選択手段とを、
備えたことを特徴とする上記（７）に記載のデジタル放送録画再生装置。
【発明の効果】
【００１２】
本発明においては、録画された番組コンテンツに対応する録画予約番組情報を録画済み番組情報として記録するとともに、録画中のデジタル放送信号から正式の番組名及びサブタイトルを含んでいる属性情報を抽出し、録画が行われた番組コンテンツにそれぞれ対応する録画予約番組情報の番組名及びサブタイトルをそれぞれ抽出された番組名及びサブタイトルに置き換えるか、あるいは、録画済み番組情報の番組名を抽出された前記番組名に置き換え、かつ、記録された録画済み番組情報の前記サブタイトルを空欄で置き換えるとともに、抽出された前記サブタイトルを置き換えられた番組名に追加記録し、番組名の置き換え及びサブタイトルの追加記録後の番組情報の一部又は全部を一覧表示するようにしたので、録画済み番組の識別名として正式な番組名、または利用者がより理解しやすい識別名を記録し、表示を記録することができ、また、録画済み番組の再生時に所望する番組の選択を容易にすることができる。
【発明を実施するための最良の形態】
【００１３】
以下、本発明の実施例を、図面を用いて詳細に説明する。
［第１実施例］
図１は本発明に係るデジタル放送録画再生装置の第１実例の概略構成を示す機能ブロック図である。
【００１４】
図１において、デジタル放送受信手段１は放送局から送信される番組コンテンツ及びその属性情報を含むデジタル放送信号を受信するものである。ＥＰＧ情報取得手段２は前述のデジタル放送信号又はアナログ放送信号又は図示しないインターネット通信手段から、所定期間内に放送予定の番組コンテンツのＥＰＧ情報を取り込み、次いで、ＥＰＧ情報取得手段２で取得されたＥＰＧ情報は番組表表示手段３に画面表示される。番組情報選択手段４は番組表表示手段３で画面表示されたＥＰＧ情報のいずれか１つの番組情報を、ユーザが外部操作することによって選択するもので、この番組情報選択手段４によって選択された番組情報が録画予約番組情報として録画予約情報記憶手段５に記憶される。
【００１５】
番組コンテンツ録画手段６は録画予約情報記憶手段５に記憶された録画予約番組情報に従ってデジタル放送受信手段１で受信された番組コンテンツを録画するもので、録画が行われるとそのときの番組コンテンツに対応する録画予約番組情報が録画済み番組情報として録画済み番組情報記録手段７に記録され、さらに、録画中のデジタル放送信号の属性情報が属性情報抽出手段８で抽出される。そこで、番組名置き換え手段９は番組コンテンツ録画手段６で録画が行われた番組コンテンツにそれぞれ対応する録画予約番組情報の番組名と属性情報の番組名とを比較し、これらの番組名が互いに相違するとき録画済み番組情報記録手段７に記録された録画済み番組情報の番組名を属性情報の番組名に置き換えたり、あるいは、記録された録画済み番組情報のサブタイトルを空欄で置き換えるとともに、抽出されたサブタイトルを置き換えられた番組名に追加記録したりする。
【００１６】
一方、再生時には、録画済み番組情報記録手段７に記録された番組情報の一部又は全部を録画済み番組名一覧表示手段１０に一覧表示し、この録画済み番組名一覧表示手段１０に表示された番組情報の少なくとも１つを、ユーザが外部操作する再生番組選択手段１１によって選択すると、選択された番組情報に対応する録画済みの番組コンテンツが再生されるように構成されている。
【００１７】
図２は、図１に示したデジタル放送録画再生装置の具体的な構成を示すブロック図であり、ここでは、ＨＤＤ（Hard Disc Drive：ハードディスクドライブ）を記録媒体とするＨＤＤレコーダを示している。図２において、ＨＤＤレコーダ１００は、装置全体を制御するＣＰＵ１０１と、このＣＰＵ１０１の演算処理に必要な制御手順及び固定データをあらかじめ書き込み、必要に応じてＣＰＵ１０１に提供するＲＯＭ及びＣＰＵ１０１の演算処理上のワーキングエリア又は入出力バッファとして用いられるＲＡＭを含むメモリ１０２と、デジタル放送受信部１０３及びアナログ放送受信部１０６と、これらデジタル放送受信部１０３及びアナログ放送受信部１０６でそれぞれ受信された信号を処理する信号処理部１０４と、ＨＤＤ１０５と、外部の赤外線リモコン２００の信号を受信する赤外線リモコン受光部１１０と、タイマ１２４とが信号の授受が可能なように接続されている。さらに、信号処理部１０４からＴＶ装置１５０に映像信号を出力する映像信号出力部１０８と、音声信号を出力するための音声信号出力部１０９とを備えている。なお、ＴＶ装置１５０は、映像信号を入力する映像信号入力部１５１と、音声信号を入力する音声信号入力部１５２と、表示部１５３とを備えている。
【００１８】
上述した信号処理部１０４は、デジタル放送受信部１０３からのデジタルデータストリームに対して、その属性情報を抽出する属性情報解析部１２０、復号化を行うＭＰＥＧ２−ＴＳデコーダ１２１、符号化を行うＭＰＥＧ２−ＴＳエンコーダ１２２及び番組情報を抽出する番組情報抽出部１２３を含んでいる。ＨＤＤ１０５は、録画済み番組映像音声１１５、録画済み番組情報１１６及び本装置の制御を行う処理プログラム１１７を蓄積するものである。不揮発性メモリ１１１は録画予約番組情報１１２、装置設定情報１１３及びＥＰＧ情報１１４を蓄積するものである。
【００１９】
次に、図３Ａに示すＥＰＧ予約の表示画面、図３Ｂに示す予約録画の設定確認画面、図４Ａに示す正式番組名及び省略番組名、図４Ｂに示す番組名及びサブタイトルを含むＥＰＧ番組名、図９に示す番組名の置き換え機能設定画面及び図１０に示す録画済み番組情報のデータ構造例及び図１１に示す録画済み番組の再生選択画面を参照して、ＣＰＵ１０１の具体的な処理手順を示す図５、図６、図７、図８Ａ、図８Ｂ、図８Ｃの各フローチャートに従ってＨＤＤレコーダ１００の詳細な動作について説明する。番組情報の提供手段としては、上述したようにアナログ放送のＶＢＩに重畳する方法や、デジタル放送の番組情報専門のデータ放送チャンネルで提供する方法などがある。ここでは、デジタル放送の専門チャンネルから番組情報を取り込む場合について説明する。
＜番組情報取り込み処理＞
図５は番組情報取り込み手順の一例を示している。図５において、まず、ステップＳ５０１でデジタル放送受信部１０３によって番組情報の提供チャンネルを選局して放送信号を受信し、ステップＳ５０２では受信して得られた信号から、信号処理部１０４内の番組情報抽出部１２３によって番組情報を抽出する。次に、ステップＳ５０３で抽出された番組情報が初めての取り込みか否かを判定し、初めての取り込みであればステップＳ５０５以下の処理を実行し、初めての取り込みでなければ、すなわち、２回目以降の取り込みであればステップＳ５０４以下の処理を実行する。ステップＳ５０５では抽出した番組情報をＥＰＧ情報１１４として不揮発性メモリ１１１に記憶し、ステップＳ５０７で番組情報の取り込み完了の処理を実行する。一方、ステップＳ５０４では新たに抽出した番組情報とＥＰＧ情報１１４として記憶した番組情報とを比較し、番組情報が更新されているか否かを判定する。判定の結果、番組情報が更新されていなければステップＳ５０７の処理を実行し、番組情報が更新されていた場合にはステップＳ５０６にて抽出した番組情報で不揮発性メモリ１１１上のＥＰＧ情報１１４を更新し、続いてステップＳ５０７の処理を実行する。
＜録画予約処理＞
図６はＥＰＧを利用した録画予約手順の一例を示している。図６において、まず、ステップＳ６０１で電子番組表を表示させる。図３Ａはこのときの表示例であり、新聞のラジオやテレビの番組欄を模した形式で表示される。この電子番組表は各列が放送チャンネルにより区切られており、各チャンネルごとに縦方向の時間軸が割り当てられ、時間帯ごとに区切られた枠内にＥＰＧ情報に含まれる番組名が表示されている。また、番組を選択するためのカーソル２０１に強調表示した枠線を利用している。そこで、ステップＳ６０２にて、赤外線リモコン２００の操作によりユーザが希望する番組枠にカーソル２０１を移動する。このカーソル２０１の移動に際して、赤外線リモコン２００には上下左右の４方向移動ボタン（図示せず）を備えているのが一般的であり、これを利用する。次に、ステップＳ６０３でリモコン操作で、選択操作をする。赤外線リモコン２００には選択操作用の決定ボタン（図示せず）があり、これを利用する。そして、ステップＳ６０４で、図３Ｂに示すように、予約録画の設定確認画面を表示する。
【００２０】
図３Ｂに示した予約録画の設定確認画面には、ＥＰＧ情報１１４に基づいて録画開始の年２０２、月２０３、日２０４、時刻２０５と、録画終了の年２０６、月２０７、日２０８、時刻２０９と、チャンネル２１０と、録画モード２１１と、番組名２１２と、サブタイトル２１３と、番組詳細説明２１４と、予約確定ボタン２１５と、中止ボタン２１６とが表示される。
【００２１】
次に、ステップＳ６０５でユーザの希望により録画モード２１１の設定変更を行い、ステップＳ６０６にて設定が完了したか否かの判定を行い、設定が完了するまでこれらの処理を繰り返す。ステップＳ６０５、６０６の処理により設定の変更が終わるまでリモコン操作で繰り返し変更することが可能となる。続いて、ステップＳ６０７で予約を設定するか否かの判定を行い、設定するときにはステップＳ６０８にて予約確定ボタン２１５の選択操作を行うと、ステップＳ６１０でＥＰＧ情報１１４及び録画予約に必要な情報を録画予約番組情報１１２として不揮発性メモリ１１１に保存する。一方、ステップＳ６０７で録画予約を中止する場合にはステップＳ６０９で中止ボタン２１６を選択操作する。次に、ステップＳ６１１で電子番組表画面に戻り、ステップＳ６１２で録画予約の終了処理を実行する。
＜予約録画実行時の処理＞
図７は予約録画実行時の処理手順の一例を示している。まず、ステップＳ７０１において、ＨＤＤレコーダ１００に内蔵されたタイマ１２４から取得した現在時刻を基にして、録画予約番組情報１１２の録画開始の時刻との比較を行い、ステップＳ７０２で実行するべき録画予約があるか否かを判定する。ステップＳ７０２での判定の結果、実行すべき録画予約が無ければ予約録画を実行せずに、ステップＳ７１０にて予約録画終了の処理を実行する。一方、ステップＳ７０２での判定の結果、実行するべき録画予約がある場合には、ステップＳ７０３にてその対象となる録画予約番組情報に従ってデジタル放送受信部１０３で選局を行う。さらに、ステップＳ７０４で録画予約番組情報に指定されている録画モードで録画を開始する。次に、ステップＳ７０５において、録画中に受信しているデジタル放送から属性情報解析部１２０で分離された属性情報から番組名及びサブタイトルを抽出し、続いて、ステップＳ７０６では、属性情報の番組名及びサブタイトルとを用いて、録画予約番組情報１１２から録画済み番組情報１１６として記録するべき情報の番組名及びサブタイトルの置き換えを行う。この番組名置き換えの処理についてはその詳細を後述する。
【００２２】
次に、ステップＳ７０７にて予約録画の終了時刻になったか否かを判定し、終了時刻を迎えていなければ録画を継続し、終了時刻を迎えた場合にはステップＳ７０８で録画を停止する。続いて、ステップＳ７０９では、録画予約番組情報１１２から録画済み番組情報１１６に記録するべき情報を抽出してＨＤＤ１０５に記録する。以上のようにして予約録画実行時の処理を終了する。
【００２３】
図１０はＨＤＤ１０５に記録される録画済み番組情報１１６のデータ構造例を示しており、上記の予約録画実行時の処理により、データ構造体struct program infoの構成要素である録画開始日record start date、録画開始時刻start time、録画終了日record end date、録画終了時刻end time、放送局名broadcaster name、番組名title、サブタイトルsubtitle、詳細説明description、録画モードrecording mode、繰り返し録画予約の設定フラグrepeat recording flugの記録が行われる。
＜番組名置き換え処理＞
図８Ａ、図８Ｂ及び図８Ｃは図７のステップＳ７０６で実行する番組名置き換え処理手順の一例を示すフローチャートである。この機能を利用する上で、事前に機能の有効化の設定を行っておく。この設定には図９に例示する設定画面を利用する。この設定画面は番組名の自動置き換えが「有効（入）」、番組名にサブタイトルを含めるが「無効（切）」、サブタイトルの自動置き換えが「有効（入）」にそれぞれ指定されている。すべての設定を「無効（切）」として、番組名置き換え処理を行わない設定の指定も可能である。このような設定画面は、ＨＤＤレコーダ１００全体の一般設定として指定してもよいが、録画予約ごとの個別設定とすることも可能である。そこで、本実施の形態では、ユーザの操作手順を限定せず、その設定機能が単独に行われるものとして説明する。
【００２４】
まず、図８Ａに示したステップＳ８０１以下の処理について説明する。ステップＳ８０１で番組名の置き換え処理が有効か否かを判定する。無効の場合にはステップＳ８０３にて録画予約番組情報１１２の番組名を録画済み番組情報１１６にコピーする。具体的には、図１０に例示したデータ構造体struct program info（以下、単にデータ構造体と略記する）の構成要素である番組名titleがコピー先となる。併せて、番組名置き換え済みフラグis replaced titleを無効にする。このステップＳ８０３の処理を終了するとステップＳ８２０の処理に進む。一方、番組名の置き換え処理が有効の場合には、ステップＳ８０２で録画予約番組情報１１２の番組名と属性情報の番組名とを比較し、両者が同じか否かを判定する。そして両者が同じであると判定されたときには、ステップＳ８０６で録画予約番組情報１１２の番組名を録画済み番組情報１１６にコピーし、併せて、番組名置き換え済みフラグis replaced titleを無効にしてステップＳ８０９の処理に進む。
【００２５】
ステップＳ８０４で番組名が同じでないと判定された場合にはステップＳ８０７にて録画予約番組情報１１２の番組名をオリジナル名として録画済み番組情報１１６にコピーする。具体的には、データ構造体の構成要素であるオリジナルの番組名original titleがコピー先となる。そして、ステップＳ８０８にて録画済み番組情報１１６の番組名を属性情報の番組名で置き換える。具体的には、データ構造体の構成要素である番組名titleがコピー先となる。併せて、番組名置き換え済みフラグis replaced titleを有効にする。次に、ステップＳ８０９でサブタイトルを含める設定が有効か否かを判定し、有効でない場合にはステップＳ８１３の処理に進む。サブタイトルを含める設定が有効が有効である場合には、さらに、ステップＳ８１０で属性情報にサブタイトルがあるか否か、すなわち、属性情報のサブタイトルが空欄ではなく、情報が含まれているか否かを判定し、含まれていないと判定した場合にはステップＳ８２０の処理に進む。情報が含まれている場合にはステップＳ８１１で録画済み番組情報１１６の番組名に属性情報のサブタイトルを追加する。具体的には、データ構造体の構成要素である番組名titleの文字列に追加し、併せてサブタイトルsubtitleは空欄とする。次に、ステップＳ８１２では録画予約番組情報１１２のサブタイトルをオリジナルサブタイトルとして、録画済み番組情報１１６にコピーする。具体的には、データ構造体の構成要素であるオリジナルのサブタイトルoriginal subtitleがコピー先となる。ステップＳ８１２で録画予約番組情報１１２のサブタイトルをオリジナルサブタイトルとして、録画済み番組情報１１６にコピーが行われた場合は、ステップＳ８２７で番組名の置き換え処理を終了する。
【００２６】
次に、図８Ｂに示したステップＳ８１３以下の処理について説明する。ステップＳ８１３でサブタイトルの置き換えが有効に設定されているか否かを判定し、有効に設定されていない、つまり無効の場合には、データ構造体の構成要素である番組置き換え済みフラグis replaced titleを無効にしてステップＳ８２０の処理に進む。サブタイトルの置き換えが有効に設定されている場合は、ステップＳ８１４で属性情報のサブタイトルが空欄ではなく、情報が含まれているか否かを判定し、情報が含まれていない場合にはステップＳ８１６で録画予約番組情報１１２のサブタイトルを録画済み番組情報１１６のサブタイトルにコピーする。具体的には、データ構造体の構成要素であるサブタイトルsubtitleがコピー先となる。併せて、サブタイトル置き換え済みフラグis replaced subtitleを無効にする。そして、ステップＳ８２７で番組名の置き換え処理を終了する。一方、属性情報のサブタイトルに情報が含まれている場合にはステップＳ８１５で録画済み番組情報１１６の番組名に属性情報のサブタイトルをコピーする。併せて、データ構造体の構成要素である番組置き換え済みフラグis replaced titleを有効にする。次に、ステップＳ８１７で録画済み番組情報１１６のオリジナル番組名が空欄か否かを判定し、空欄の場合にはステップＳ８１８にて録画予約番組情報１１２の番組名を録画済み番組情報１１６のオリジナル番組名にコピーする。具体的には、データ構造体の構成要素であるオリジナルの番組名original titleがコピー先となる。その後は、ステップＳ８１９の処理に進む。また、ステップＳ８１７で録画済み番組情報１１６のオリジナル番組名が空欄でないと判定された場合にもステップＳ８１９の処理に進む。ステップＳ８１９においては、録画予約番組情報１１２のサブタイトルをオリジナルサブタイトルとして、録画済み番組情報１１６にコピーする。具体的には、データ構造体の構成要素であるオリジナルの番組名original titleがコピー先となる。併せて、録画済み番組情報１１６のサブタイトルを空欄にし、サブタイトル置き換え済みフラグis replaced subtitleを有効にする。
【００２７】
次に、図８Ｃに示したステップＳ８２０以下の処理について説明する。ステップＳ８２０においては、サブタイトルの置き換えが有効に設定されているか否かを判定し、有効に設定されていない、すなわち無効の場合にはステップＳ８２３の処理に進む。サブタイトルの置き換えが有効に設定されていた場合には、ステップＳ８２１で録画予約番組情報１１２のサブタイトルと属性情報のサブタイトルとを比較し、ステップＳ８２２でサブタイトルが同じか否かを判定する。ここで、サブタイトルが同じと判定された場合にはステップＳ８２３で録画予約番組情報１１２のサブタイトルを録画済み番組情報１１６にコピーする。具体的には、データ構造体の構成要素であるサブタイトルsubtitleがコピー先となる。併せて、サブタイトル置き換え済みフラグis replaced subtitleを無効にする。続いて、ステップＳ８２７に進み、番組名の置き換え処理を終了する。ステップＳ８２２でサブタイトルが同じでないと判定された場合、すなわち、サブタイトルが異なると判定された場合、ステップＳ８２４で属性情報のサブタイトルは空欄か否かを判定し、空欄である場合にはステップＳ８２３の処理を実行する。もし、属性情報のサブタイトルが空欄でない場合、すなわち、属性情報のサブタイトルに情報が含まれている場合にはステップＳ８２５で属性情報のサブタイトルを録画済み番組情報１１６のサブタイトルにコピーする。
【００２８】
具体的には、データ構造体の構成要素であるサブタイトルsubtitleがコピー先となる。併せて、サブタイトル置き換え済みフラグis replaced subtitleを有効にする。さらに、ステップＳ８２６で録画予約番組情報１１２のサブタイトルをオリジナルサブタイトルとして録画済み番組情報１１６にコピーする。具体的には、データ構造体の構成要素であるオリジナルのサブタイトルoriginal subtitleがコピー先となる。続いて、ステップＳ８２７に進み、番組名の置き換え処理を終了する。以上の処理により番組名及びサブタイトルの置き換えが実現される。
【００２９】
次に、番組名、サブタイトルの具体的な置き換え例を説明する。図４Ａの（ａ）〜（ｅ）欄はそれぞれ正式番組名がＥＰＧ用番組情報の中で省略表示される例をまとめたものである。このように、１つの正式番組名に対して複数の省略手法があり、どの省略手法を採用するかはＥＰＧ用番組提供者の裁量にゆだねられている。また、ＥＰＧ用番組情報の番組名がどの程度省略されて提供されているかについても、ＥＰＧ用番組情報の提供者の裁量により変更され、ＥＰＧ録画利用者に知らされることはない。
【００３０】
図４Ｂの（ａ）〜（ｇ）欄はそれぞれ番組名とサブタイトルを含むＥＰＧ番組名の例をまとめたものである。図４Ａの（ｄ）欄の（サブタイトルの映画名）は特殊な省略例であり、図４Ｂの（ｃ）欄のＥＰＧサブタイトルに当たる。なお、図４Ｂの（ａ）、（ｂ）、（ｃ）、（ｄ）、（ｅ）欄に使用されている「［二］」は二カ国語放送を、「［新］」は新番組をそれぞれ表す特殊な記述である。
【００３１】
図１１は本実施の形態により、録画済み番組情報１１６を置き換えた場合の再生選択画面を例示したものである。番組選択用のカーソル１１０１は太線による枠として示されている。カーソル１１０１が示している番組の詳細情報は、画面下部の表示領域１１０２に表示される。同じ番組を表示した従来技術による図１３の再生選択画面と比較すると、それぞれの番組名から選択する際、本実施の形態においては、録画済み番組の識別名として正式な番組名を記録できることが分かる。これによって、録画済み番組の再生時に所望する番組の選択を容易にすることができる。
【００３２】
さらに、図９に示した番組名置き換え機能設定画面を用いた設定により、結果の異なる番組名及びサブタイトルの置き換え例を図１２に示す。図１２の表中、６列目から９列目の各欄９０１〜９０４は図９の番組名置き換え機能設定画面の設定項目を示している。置き換えの対象番組のＥＰＧ番組情報の省略方法や利用者の好みにより、最適な置き換え方法が異なる。図１２における（ａ）〜（ｅ）欄の場合、利用者は（ｃ）欄又は（ｄ）欄を指定することが有益と思われる。また、（ｆ）〜（ｊ）欄の場合、利用者は（ｈ）欄又は（ｉ）欄を指定することが有益と思われる。さらに、（ｋ）〜（ｏ）欄の場合、利用者は（ｍ）欄を指定することが有益と思われる。このように、利用者は図９に示した番組名置き換え機能設定画面により最適な置き換え方法を選択して利用することができる。
【００３３】
また、図１１では録画済み番組情報の一部を一覧表示したが、録画済み番組情報の全部を一覧表示して、そのうちのいずれか１つ又は複数を、ユーザが選択するように構成することもできる。これによって、上述したと同様な効果が得られる。
［第２実施例］
図１４は本発明に係るデジタル放送録画再生装置の第２実施例の概略構成を示す機能ブロック図である。第１実施例では、番組録画予約のための番組情報をデジタル放送の専門チャンネルから取得する、つまり録画再生装置が直接番組録画予約のためのＥＰＧ情報を取得する例を説明した。一方、この第２実施例は、前述のインターネットＥＰＧをパソコン上で開き、このインターネットＥＰＧで録画予約を行なった結果のデータである、その予約した番組の番組情報（番組名、サブタイトル名、番組説明、放送開始／終了時間など）のみをパソコンを介して受信して、番組録画予約を行なう実施例である。
【００３４】
図１４において、デジタル放送受信手段１は放送局から送信される番組コンテンツ及びその属性情報を含むデジタル放送信号を受信するものである。予約情報取得手段１２は、図示しない通信手段から、パソコンや携帯端末などの情報端末がインターネット用電子番組表を用いて予約した番組の、番組名、サブタイトル、放送開始時間／終了時間等を含む録画予約番組情報を取得するものである。そして、予約情報取得手段１２で取得された番組予約情報は、録画予約情報記憶手段５に記憶される。
【００３５】
番組コンテンツ録画手段６は録画予約情報記憶手段５に記憶された録画予約番組情報に従ってデジタル放送受信手段１で受信された番組コンテンツを録画するもので、録画が行われるとそのときの番組コンテンツに対応する録画予約番組情報が録画済み番組情報として録画済み番組情報記録手段７に記録され、さらに、録画中のデジタル放送信号の属性情報が属性情報抽出手段８で抽出される。そこで、番組名置き換え手段９は番組コンテンツ録画手段６で録画が行われた番組コンテンツにそれぞれ対応する録画予約番組情報の番組名と属性情報の番組名とを比較し、これらの番組名が互いに相違するとき録画済み番組情報記録手段７に記録された録画済み番組情報の番組名を属性情報の番組名に置き換えたり、あるいは、記録された録画済み番組情報のサブタイトルを空欄で置き換えるとともに、抽出されたサブタイトルを置き換えられた番組名に追加記録したりする。
【００３６】
一方、再生時には、録画済み番組情報記録手段７に記録された番組情報の一部又は全部を録画済み番組名一覧表示手段１０に一覧表示し、この録画済み番組名一覧表示手段１０に表示された番組情報の少なくとも１つを、ユーザが外部操作する再生番組選択手段１１によって選択すると、選択された番組情報に対応する録画済みの番組コンテンツが再生されるように構成されている。
【００３７】
図１５は、図１４に示したデジタル放送録画再生装置の第２実施例の具体的な構成を示すブロック図であり、ここでは、ＨＤＤ（Hard Disc Drive：ハードディスクドライブ）を記録媒体とするＨＤＤレコーダを示している。図１５において、ＨＤＤレコーダ１００は、装置全体を制御するＣＰＵ１０１と、このＣＰＵ１０１の演算処理に必要な制御手順及び固定データをあらかじめ書き込み、必要に応じてＣＰＵ１０１に提供するＲＯＭ及びＣＰＵ１０１の演算処理上のワーキングエリア又は入出力バッファとして用いられるＲＡＭを含むメモリ１０２と、デジタル放送受信部１０３及びアナログ放送受信部１０６と、これらデジタル放送受信部１０３及びアナログ放送受信部１０６でそれぞれ受信された信号を処理する信号処理部１０４と、ＨＤＤ１０５と、ネットワークインターフェース１０７と、外部の赤外線リモコン２００の信号を受信する赤外線リモコン受光部１１０と、タイマ１２４とが信号の授受が可能なように接続されている。さらに、信号処理部１０４からＴＶ装置１５０に映像信号を出力する映像信号出力部１０８と、音声信号を出力するための音声信号出力部１０９とを備えている。
【００３８】
なお、ＴＶ装置１５０は、映像信号を入力する映像信号入力部１５１と、音声信号を入力する音声信号入力部１５２と、表示部１５３とを備えている。
また、ＨＤＤレコーダ１００内のネットワークインターフェース１０７と、ＬＡＮなどによって接続されるパーソナルコンピュータ装置３００は、ネットワークインターフェース３０７と、処理部３０１と、記憶部３０２と、表示部３０３とを備えている。
【００３９】
更に、ネットワークインターフェース１０７と、ネットワークインターフェース３０７とは、ネットワーク５００を介して外部のＥＰＧ情報サーバ５５０とも接続されている。
上述した信号処理部１０４は、デジタル放送受信部１０３からのデジタルデータストリームに対して、その属性情報を抽出する属性情報解析部１２０、復号化を行うＭＰＥＧ２−ＴＳデコーダ１２１、符号化を行うＭＰＥＧ２−ＴＳエンコーダ１２２及び番組情報を抽出する番組情報抽出部１２３を含んでいる。ＨＤＤ１０５は、録画済み番組映像音声１１５、録画済み番組情報１１６及び本装置の制御を行う処理プログラム１１７を蓄積するものである。不揮発性メモリ１１１は録画予約番組情報１１２、装置設定情報１１３及びＥＰＧ情報１１４を蓄積するものである。
【００４０】
次に、図１６Ａに示すＥＰＧ予約の表示画面、図１６Ｂに示す予約録画の設定確認画面、図４Ａに示す正式番組名及び省略番組名、図４Ｂに示す番組名及びサブタイトルを含むＥＰＧ番組名、図９に示す番組名の置き換え機能設定画面及び図１０に示す録画済み番組情報のデータ構造例及び図１８に示す録画済み番組の再生選択画面を参照して、ＣＰＵ１０１の具体的な処理手順を示す図７、図８Ａ、図８Ｂ、図８Ｃの各フローチャートに従ってＨＤＤレコーダ１００の詳細な動作について説明する。
【００４１】
また、パーソナルコンピュータ装置３００（以下パソコン３００と略して呼ぶ）で行なわれる、インターネット番組情報を用いての録画予約処理とＨＤＤレコーダ１００への予約番組情報の送信処理の具体的処理手順を図１７のフローチャートに従って説明する。
＜録画予約処理＞
ます、ＨＤＤレコーダ１００とパソコン３００とで行なわれる録画予約処理を図１５と図１７を用いて説明する。
【００４２】
図１７はインターネットＥＰＧを利用したパソコン３００上での録画予約手順の一例を示している。
ます、ステップＳ１７０１において、パソコン内のウェブブラウザは、特定のウェブページを参照するＵＲＬ（Unified Resource Locator）が指定されたならば、この特定のウェブページに対応したインターネットＥＰＧによる電子番組表をパソコン上のモニタに表示させる。このウェブページに対応したインターネットＥＰＧは、代表的なプログラミング言語である前述のｈｔｍｌなどを用いて記述されている。このｈｔｍｌによるインターネットＥＰＧは番組提供事業者などが用意しているＥＰＧ情報サーバ５５０に蓄積されており、必要に応じてパソコン３００がこのインターネットＥＰＧにアクセスして電子番組表を表示する。図１５Ａは、上記したパソコン上での電子番組表の表示例であり、新聞のラジオやテレビの番組欄を模した形式で表示される。この電子番組表は各列が放送チャンネルにより区切られており、各チャンネルごとに縦方向の時間軸が割り当てられ、時間帯ごとに区切られた枠内にインターネットＥＰＧ情報に含まれる番組名が表示されている。また、番組を選択するためのカーソル２５０に強調表示した枠線を利用している。
【００４３】
そこで、ステップＳ１７０２にて、マウス（図示せず）の操作などによりユーザが希望する番組枠にカーソル２５０を移動する。すると、その枠に対応する番組の詳細情報が画面下部の詳細情報表示領域２５１に表示される。ユーザは、詳細情報表示領域２５１に表示された詳細情報を参照し、この選択した番組を録画予約すると判断した場合はステップＳ１７０３において、カーソル２５０を詳細情報表示領域２５１内に設けられた予約ボタン２５２に移動し、この予約ボタン２５２を選択、決定する。この選択、決定にはマウスの右ボタン或いは左ボタンなどを利用する。
【００４４】
ステップＳ１７０４では、上記の選択、決定によりＥＰＧ情報サーバ５５０から番組予約情報がパソコン３００上で利用可能な形で提供される。
ステップＳ１７０５では提供された番組予約情報を、パソコン３００内の記憶部３０２に保存する。番組予約情報には、図１７Ｂに示す予約録画の設定確認画面に表示する、予約日、放送局名、録画(放送）開始時刻、録画(放送）終了時刻、番組名、副題、出演者、番組説明などの情報を有している。
ステップＳ１７０６では、記憶部３０２に保存された番組予約情報をパソコン３００から、送信用ソフトウェア（図示せず）により、ネットワークを介して接続されたＨＤＤレコーダ１００に送信する。これによりＨＤＤレコーダ内で録画予約が設定される。
このとき、ステップＳ１７０７において、同じ時間帯にすでに録画予約が設定されており、重複予約であると判断した場合はステップＳ１７０９において録画予約情報が破棄される。一方、ステップＳ１７０７において、録画予約の重複がないと判断した場合はステップＳ１７０８において、送信された録画予約情報を保存する。このとき録画予約は、ＨＤＤレコーダ１００内にあらかじめ設定されている装置設定情報１１３に含まれる録画モードなどと組み合わせて設定される。図３Ｂはこの組み合わせによる設定の表示例である。この例では、録画モード２１１は「ダイレクト」が指定されている。以上で録画予約が終了する（ステップＳ１７１０）。
なお、上記説明では録画予約を行なう装置としてパソコン３００を用いる例を示したが、録画予約を行なう装置はこれにかぎらず、インターネットＥＰＧを受信し録画予約を行なう機能と、録画予約を行なった番組の録画予約番組情報を本装置に送信する機能をそなえたものであればどのようなものでも良い。例えばインターネット接続機能を有する携帯電話を用いても良い。
【００４５】
以上の録画予約処理が行われ、ＨＤＤレコーダ１００に番組予約情報が設定された以降の、予約録画実行時の処理、番組名置き換え処理に関しては、第１実施例と同様の処理となるので説明は省略する。
【００４６】
なお、本発明は、上記した装置の機能をコンピュータに実現させるためのプログラムを含むものである。これらのプログラムは、記録媒体から読みとられてコンピュータに取り込まれてもよいし、通信ネットワークを介して伝送されてコンピュータに取り込まれてもよい。
【図面の簡単な説明】
【００４７】
【図１】本発明に係るデジタル放送録画再生装置の第１実施例の概略構成を示す機能ブロック図である。
【図２】図１に示した第１実施例のデジタル放送録画再生装置の具体的な構成を示すブロック図である。
【図３Ａ】本発明の第１実施例の動作を説明するために、ＥＰＧ予約の表示画面を例示した図である。
【図３Ｂ】本発明の第１実施例の動作を説明するために、予約録画の設定確認画面を例示した図である。
【図４Ａ】本発明の実施例の動作を説明するために、正式番組名及び省略番組名を例示した図である。
【図４Ｂ】本発明の実施例の動作を説明するために、番組名及びサブタイトルを含むＥＰＧ番組名を例示した図である。
【図５】本発明の第１実施例の動作を説明するために、番組情報取り込み手順の一例を示したフローチャートである。
【図６】本発明の第１実施例の動作を説明するために、録画予約手順の一例を示したフローチャートである。
【図７】本発明の一実施の形態の動作を説明するために、予約録画実行時の処理手順の一例を示したフローチャートである。
【図８Ａ】本発明の実施例の動作を説明するために、番組名の置き換え処理手順の一例を示したフローチャートである。
【図８Ｂ】本発明の実施例の動作を説明するために、番組名の置き換え処理手順の一例を示したフローチャートである。
【図８Ｃ】本発明の実施例の動作を説明するために、番組名の置き換え処理手順の一例を示したフローチャートである。
【図９】本発明の実施例の動作を説明するために、番組名の置き換え機能設定画面を例示した図である。
【図１０】本発明実施例の動作を説明するために、録画済み番組情報のデータ構造例を示した図である。
【図１１】本発明の第１実施例の動作を説明するために、録画済み番組の再生選択画面を例示した図である。
【図１２】本発明の第１実施例の動作を説明するために、番組名とサブタイトルの置き換え例を示す図である。
【図１３】従来技術による録画済み番組の再生選択画面を例示した図である。
【図１４】本発明に係るデジタル放送録画再生装置の第２実施例の概略構成を示す機能ブロック図である。
【図１５】図１４に示した第２実施例のデジタル放送録画再生装置の具体的な構成を示すブロック図である。
【図１６Ａ】本発明の第２実施例の動作を説明するために、パソコン上でのＥＰＧ予約の表示画面を例示した図である。
【図１６Ｂ】本発明の第２実施例の動作を説明するために、パソコン上での予約録画の設定確認画面を例示した図である。
【図１７】本発明の第２実施例の動作を説明するために、録画予約手順の一例を示したフローチャートである。
【符号の説明】
【００４８】
１  デジタル放送受信手段
２  ＥＰＧ情報取得手段
３  番組表表示手段
４  番組情報選択手段
５  録画予約情報記憶手段
６  番組コンテンツ録画手段
７  録画済み番組情報記録手段
８  属性情報抽出手段
９  番組名置き換え手段
１０  録画済み番組名一覧表示手段
１１  再生番組選択手段
１２  録画予約情報取得手段
１００  ＨＤＤレコーダ（デジタル放送録画再生装置）
１０１  ＣＰＵ
１０２  メモリ
１０３  デジタル放送受信部
１０４  信号処理部
１０５  ＨＤＤ
１１０  赤外線リモコン受光部
１１１  不揮発メモリ
１２４  タイマ
１５０  ＴＶ装置
２００  赤外線リモコン
３００ パーソナルコンピュータ装置
５００  ネットワーク
５５０  ＥＰＧ情報サーバ
【図１】
0004656527.tif 000002
【図２】
0004656527.tif 000003
【図３Ａ】
0004656527.tif 000004
【図３Ｂ】
0004656527.tif 000005
【図４Ａ】
0004656527.tif 000006
【図４Ｂ】
0004656527.tif 000007
【図５】
0004656527.tif 000008
【図６】
0004656527.tif 000009
【図７】
0004656527.tif 000010
【図８Ａ】
0004656527.tif 000011
【図８Ｂ】
0004656527.tif 000012
【図８Ｃ】
0004656527.tif 000013
【図９】
0004656527.tif 000014
【図１０】
0004656527.tif 000015
【図１１】
0004656527.tif 000016
【図１２】
0004656527.tif 000017
【図１３】
0004656527.tif 000018
【図１４】
0004656527.tif 000019
【図１５】
0004656527.tif 000020
【図１６Ａ】
0004656527.tif 000021
【図１６Ｂ】
0004656527.tif 000022
【図１７】
0004656527.tif 000023